(57)【要約】【課題】顔、うなじを含む首の全周、首元からデコルテまでを同時にパックできる化粧用マスクを提供する。【解決手段】本考案に係る化粧用マスクは、顔に貼り付ける半円状の部分１と、うなじを含む首の全周およびデコルテに貼り付ける帯状部分２より成り、半円状部分の下部と帯状部分の長手方向の中央部分は連続している、一体のものである。半円状部分には２箇所の目穴３と、１箇所の鼻穴４と、鼻の当たる部分の両脇に２箇所の切り込み５と、１箇所の口穴を有している。帯状部分２は幅が１５ｃｍ〜３０ｃｍ、長さ３０ｃｍ〜５０ｃｍであり、うなじを含む首の全周を覆うことができ、デコルテも覆うことができる。帯状部分の長手方向の中央の顎の当たる部分には凸部を有している。また、帯状部分の長手方向を略５等分する位置に帯状部分の幅の略８０％の長さの切り込み７を４箇所有する。【選択図】図１
0003204157.tif 000002
【実用新案登録請求の範囲】
【請求項１】
半円状の部分と、
幅１５ｃｍ〜３０ｃｍ、長さ３０ｃｍ〜５０ｃｍの帯状部分と、
を有し、
上記帯状部分の長手方向の中央部は上記半円状部分の下部に連続しており
上記半円状部分に２箇所の目穴と、１箇所の鼻穴と、鼻の当たる部分の両脇に２箇所の切り込みと、１箇所の口穴を有し、
上記帯状部分の長手方向の中央部分かつ短手方向中央部分に凸部を有し、長手方向を略５等分する位置に帯状部分の幅の略８０％の長さの切り込みを４箇所有する
ことを特徴とする立体形状の化粧用マスク。
【考案の詳細な説明】
【技術分野】
【０００１】
本考案は、顔、うなじを含む首の全周、首元からデコルテ（首から胸元にかけての部分をいう）までを同時にパックできる化粧用マスクに関するものである。
【背景技術】
【０００２】
化粧用マスクは多種多様な形態のものが提案され、販売されている。しかし大多数のものは顔のみを覆うことができ、顔のみがパックできる形態のものである。顔と首筋や喉を覆うことができこれらの部位を同時にパックできるものもいくつか提案されている。例えば特許文献１で提案されているものは顔と首の前部を、特許文献２で提案されているものは顔と喉部から首元まで、特許文献３で提案されているもの及び特許文献４で提案されているものは顔と首筋を同時にパックできることを特徴の一としている。しかし、顔、うなじを含む首の全周、首元からデコルテまでを同時にパックできる化粧用マスクは存在しない。
【先行技術文献】
【特許文献】
【０００３】
【特許文献１】特開２０１１−１７２７３２公報
【特許文献２】特開２０１２−５０５２６公報
【特許文献３】意匠登録第１５３８１２３公報
【特許文献４】意匠登録第１４８９５８７公報
【考案の概要】
【考案が解決しようとする課題】
【０００４】
本考案は、顔、うなじを含む首の全周、首元からデコルテまでを同時にパックできる化粧用マスクを提供することを課題とする。
【課題を解決するための手段】
【０００５】
本考案に係る化粧用マスクは、顔に貼り付ける半円状の部分１と、うなじを含む首の全周および首元からデコルテに貼り付ける帯状部分２より成り、半円状部分の下部と帯状部分の長手方向の中央部分は連続している、一体のものである。半円状部分には２箇所の目穴３と、１箇所の鼻穴４と、鼻の当たる部分の両脇に２箇所の切り込み５と、１箇所の口穴６を有している。帯状部分２は幅が１５ｃｍ〜３０ｃｍ、長さ３０ｃｍ〜５０ｃｍであり、うなじを含む首の全周を覆うことができ、首元からデコルテまでをも覆うことができる。帯状部分の長手方向の中央の顎の当たる部分には凸部９を有している。また、帯状部分の長手方向を略５等分する位置に帯状部分の幅の略８０％の長さの切り込み７を４箇所有する。
【０００６】
本考案に係る化粧用マスクは図１に示すように正面から見て左右対称であり、対称軸に沿って二つ折りすると図２に示す形となる。不織布等のシート状の素材を二つ折りにして、折り目が１０となるようにして図２の形に打ち抜き、８の部分を加圧あるいは加熱などにより接合することにより、本化粧用マスクが製作できる。あるいは、図２の形状に打ち抜いた素材２枚を重ね、１０及び８の線に沿って接合しても本化粧用マスクが製作できる。
【０００７】
上記のようにして製作した本化粧用マスクを図１のように展開すると口穴の下部、あごの当たる部分が出っ張り凸部を形成する。
【０００８】
本化粧用マスクの素材としては熱溶着が可能で伸縮性を備え、吸水性で化粧液を十分含むことができるシート状素材であれば良く、不織布等各種シート材を用いることができる。
【考案の効果】
【０００９】
本考案の化粧用マスクは、図９及び図１０で示すように、顔、うなじを含む首の全周および首元からデコルテまでを覆うことができるので、これらの部位を同時にパックすることができる。鼻の当たる部分に切り込み５を有することにより小鼻の脇も隙間無く貼り付けることができ鼻及び鼻の周囲もムラ無くパックすることができる。また、帯状部分２の長手方向の中央の顎の当たる部分の凸部９に顎を嵌めることにより簡単に装着できるとともに、喉部にも本品が密着する。さらに、帯状部分の切れ込み７を有することにより、首の全周およびデコルテに隙間無く貼り付けることができ、これらの部位をムラ無くパックすることができる。
【００１０】
さらに、本品の帯状部分2の両端部を後ろへ牽引し、うなじ部分で重ね合わせることにより、頬を引き上げることができ、頬の垂れ下がりを防ぐことができる。
【００１１】
本化粧用マスクは上記のように、素材を打ち抜き，一部を接合するか、あるいは、打ち抜いた２枚を接合するだけで製造できるので製造コストが低廉である。
【００１２】
本化粧用マスクは展開状態では立体形状であるが、折りたたんだ時は平面となるので，嵩張らず、流通時，販売時あるいは保管時は省スペースとなる。
【図面の簡単な説明】
【００１３】
【図１】本考案の実施例１に係る化粧用マスクを展開した状態の正面図である。
【図２】実施例１に係る化粧用マスクを顔の正中線に当たる部分を折り目にして二つ折りにした状態の正面図である。
【図３】実施例１に係る化粧用マスクを顔の正中線に当たる部分を折り目にして二つ折りにした状態の右側面図である
【図４】実施例１に係る化粧用マスクを顔の正中線に当たる部分を折り目にして二つ折りにした状態の左側面図である
【図５】実施例１に係る化粧用マスクを顔の正中線に当たる部分を折り目にして二つ折りにした状態の平面図である。
【図６】実施例１に係る化粧用マスクを顔の正中線に当たる部分を折り目にして二つ折りにした状態の底面図である。
【図７】実施例１に係る化粧用マスクを顔の正中線に当たる部分を折り目にして二つ折りにした状態のＡ−Ａ‘線で切断したときの端面図である。
【図８】実施例１に係る化粧用マスクを顔の正中線に当たる部分を折り目にして二つ折りにした状態で加圧又は加熱により上下のシートを接合している部分をハッチングにより示した説明図である。
【図９】実施例１に係る化粧用マスクの使用状態を示す正面図である。
【図１０】実施例１に係る化粧用マスクの使用状態を示す背面図である。
【図１１】実施例２に係る化粧用マスクの右半分と左半分を重ね、接合した部分をハッチングにより示した図である。
【考案を実施するための形態】
【実施例１】
【００１４】
不織布を二つ折りにし、１０の線が折り目になるようにして図２の形に打ち抜く。そして図８のハッチングにより示した部分８で上下の不織布片を熱溶着により接合する。これに化粧液を含浸させることにより実施例１に係る化粧用マスクが完成する。
【００１５】
二つ折りになった本化粧用マスクの上下の不織布片を展開すると、図１の形となる。顔に貼り付ける半円状部分１、とうなじを含む首の全周および首元からデコルテに貼り付ける帯状部分２から成り、半円状部分１には目穴３、鼻穴４，鼻の両脇に沿う切り込み５および口穴６を有し、帯状部分２には切り込み７を有している。図１のように展開するとあごの当たる部分９が出っ張り凸部を形成し、装着時はこの凸部に顎を嵌める。
【００１６】
素材として用いる不織布は熱溶着が可能で伸縮性を備え、吸水性で化粧液を十分含むことができるものであればよい。
【実施例２】
【００１７】
図２の形に打ち抜いた不織布を２枚重ね、図11においてハッチングにより示した１０から８にかけての部分でこの２枚の不織布片を熱溶着により接合する。これに化粧液を含浸させることにより実施例２に係る化粧用マスクが完成する。実施例１の化粧用マスクが１枚の不織布シートより成るのに対し、実施例２に係る化粧用マスクは２枚の不織布シートを接合することにより形成される点が異なるが、出来上がりの形状は実施例1の化粧用マスクとほぼ同じであり、性能や機能は同等である。
【符号の説明】
【００１８】
１    半円状部分
２    帯状部分
３    目穴
４    鼻穴
５    鼻に当たる部分の切り込み
６    口穴
７    帯状部分の切り込み
８    熱溶着による接合部分
９    凸部
１０  実施例1における折り目、実施例2における熱溶着による接合部分
【図１】
0003204157.tif 000003
【図２】
0003204157.tif 000004
【図３】
0003204157.tif 000005
【図４】
0003204157.tif 000006
【図５】
0003204157.tif 000007
【図６】
0003204157.tif 000008
【図７】
0003204157.tif 000009
【図８】
0003204157.tif 000010
【図９】
0003204157.tif 000011
【図１０】
0003204157.tif 000012
【図１１】
0003204157.tif 000013